(57)【要約】  【課題】  簡単に製造することができ、折り畳み状態の維持が容易である折り畳み箱を提供することを課題とする。  【解決手段】  本発明の折り畳み箱１は本体部１０と蓋部１１を有し、本体部１０には底面２１と側面２２、２３、２４、２５とを有しており、また収納空間２７が形成されている。側面２２、２４には傾斜折り目３６、３７、３８、３９が設けられて、本体部１０は折り畳み状態とすることができ、折り畳み状態で蓋部１１の内側空間５７に収納することができる。【選択図】  図１
2006131246.tif 000002
【特許請求の範囲】
【請求項１】
本体部と、蓋部を有し、前記本体部は底面と、前記底面と下辺で接続している複数の側面とを有し、複数の側面は隣接する他の側面と側辺で接続し、底面及び複数の側面に囲まれた収納空間が形成され、前記収納空間の上方には開口が設けられているものであり、前記蓋部は天面と、前記天面と上辺で接続している複数の側面とを有し、複数の側面は隣接する他の側面と側辺で接続し、天面及び複数の側面に囲まれた内側空間が形成されており、本体部の側面の外側に蓋部の側面が配置するようにして前記天面が本体部の開口を覆うことができるものであり、
本体部の側面には傾斜折り目が設けられて、本体部は、傾斜折り目、下辺及び側辺で折り曲げることにより、全ての側面が底面側に折り曲げられて、折り畳み状態とすることができるものであり、折り畳み状態とした本体部を蓋部の内側空間に収納することができることを特徴とする折り畳み箱。
【請求項２】
蓋部の側面には傾斜折り目が設けられて、蓋部は、傾斜折り目、上辺及び側辺で折り曲げることにより、全ての側面が天面側に折り曲げられて、折り畳み状態とすることができるものであり、折り畳み状態とした本体部を蓋部の内側空間に収納した状態で、蓋部を折り畳み状態とすることができることを特徴とする請求項１に記載の折り畳み箱。
【請求項３】
本体部は、芯板と表面紙とを接着剤で貼り合わせて製作されるものであり、前記接着剤が固化する前に、折り畳み状態となるように変形させて製造されたことを特徴とする請求項１又は２に記載の折り畳み箱。
【請求項４】
請求項１〜３のいずれかに記載の折り畳み箱が用いられ、前記折り畳み箱の収納空間に収納物が収納され、前記収納物により折り畳み箱の傾斜折り目が設けられた側面同士を広げた状態で維持して折り畳み箱の使用状態を維持していることを特徴とする折り畳み箱の収納構造。
【請求項５】
収納物は不定形なものであることを特徴とする請求項４に記載の折り畳み箱の収納構造。
【請求項６】
底面と、前記底面と下辺で接続している複数の側面とを有し、複数の側面は隣接する他の側面と側辺で接続し、底面及び複数の側面に囲まれた収納空間が形成され、前記収納空間の上方には開口が設けられ、側面には傾斜折り目が設けられて、傾斜折り目、下辺及び側辺で折り曲げることにより、全ての側面が底面側に折り曲げられて、折り畳み状態とすることができる折り畳み箱の本体部を製造するものであり、
芯板を所定の形状に切断する工程と、芯板に傾斜折り目を形成する工程と、表面紙を所定の形状に切断する工程と、芯板を下辺となる位置で折り曲げて底面と複数の側面を形成し、側面同士を側辺で連結するように表面紙を接着剤で芯板に貼り付ける工程と、前記接着剤が固化する前に折り畳み状態に変形させる工程と、を有することを特徴とする折り畳み箱の製造方法。
【発明の詳細な説明】
【技術分野】
【０００１】
本発明は、商品などを入れることができる折り畳み箱、その収納構造、その製造方法に関するものである。
【背景技術】
【０００２】
箱は、使用時には商品などを入れるため、箱内部に空間を形成することが出来るようにしなければならない。一方、未使用状態で輸送や保管する場合、また、廃棄する場合には折り畳めるようにしておけば、嵩張らず便利である。
【０００３】
このような、折り畳み箱は従来より知られており、例えば、特許文献１などに開示されている。
【特許文献１】特開平０６−２９３３２６号公報
【０００４】
また、このような折り畳み可能な箱は、厚紙などの折り曲げ可能なものを折り曲げて製作される。具体的には、厚紙を所定の形状に切断して折り曲げて箱状とし、内部に空間を形成する。そして、この状態を維持するために、辺などで隣接する面同士を連結することが行われている。
【０００５】
この辺などで行われる連結は、糊しろを設けて糊しろ部分を他方の面と重ねる方法や、厚紙に係合部を設けて行う方法や、厚紙の縁同士を突き合わせてこの部分を別の紙で覆って行う方法がある。
段ボールなどでは糊しろを設ける方法や係合部を設ける方法が用いられるが、かかる方法では糊しろや係合部の部分で段差が生じて、見た目がよくないので、商品を包装するための箱では別の紙で連結する方法が良く用いられている。また、商品を包装するための箱などでは、表面に化粧紙を貼り付けて外観を向上させることが行われるので、この化粧紙によって厚紙の縁同士が突き合わされた部分の接合を兼ねて、外観性を向上させながら辺での連結をすることができる。
【発明の開示】
【発明が解決しようとする課題】
【０００６】
このように、厚紙などで箱状にしたものの表面に化粧紙を張り、この化粧紙によって隣接する面の連結を行う場合、折り畳みの方法が限られることとなる。これは、箱の表面に化粧紙を貼った場合には、連結部分などで分割すると化粧紙が破断されるため分割できないからである。そのため、折り曲げることのみによって折り畳む必要がある。
【０００７】
例えば、直方体状の箱の場合、底面と、４つの側面が設けられ、４つの側面は、底面と接続して底面とのなす角度がほぼ直角であって、隣接する面同士のなす角がほぼ直角である。そして、箱の上方には開口が設けられ、箱の内側には、収納空間が設けられる。
そして、このような箱を折り曲げのみによって折り畳む場合、底面と側面との間の辺や、側面同士の間の辺だけでなく、側面に傾斜する方向に折り曲げることが可能な傾斜折り目を設けて、辺や傾斜折り目で折り曲げて箱の折り畳みを行う。
【０００８】
このような折り畳み箱では、使用状態から折り畳み状態とする場合、又は、逆に折り畳み状態から使用状態とする場合、傾斜折り目や辺での折り曲げ角度を変えることで簡単にでき、作業がしやすいという特徴がある。
【０００９】
しかし、厚紙には復元力があり、折り畳み箱を折り畳み状態で維持することが難しい。は、また、紙が厚い場合には復元力が大きく、特に折り畳み状態を維持しにくい。
そして、折り畳み状態を維持しにくいと、輸送、保管、廃棄時などに嵩張ることとなってしまう。
【００１０】
また、傾斜折り目や辺で厚紙を切断して、化粧紙などで連結する構造とすると、かかる部分の復元力を小さくすることができる。しかし、複数のパーツの厚紙を連結することとなり、箱の製作が複雑で難しくなってしまう。
【００１１】
そこで、本発明は、簡単に製造することができ、折り畳み状態の維持が容易である折り畳み箱を提供することを課題とする。
【課題を解決するための手段】
【００１２】
上記した目的を達成すべく提供される請求項１に記載の発明は、本体部と、蓋部を有し、前記本体部は底面と、前記底面と下辺で接続している複数の側面とを有し、複数の側面は隣接する他の側面と側辺で接続し、底面及び複数の側面に囲まれた収納空間が形成され、前記収納空間の上方には開口が設けられているものであり、前記蓋部は天面と、前記天面と上辺で接続している複数の側面とを有し、複数の側面は隣接する他の側面と側辺で接続し、天面及び複数の側面に囲まれた内側空間が形成されており、本体部の側面の外側に蓋部の側面が配置するようにして前記天面が本体部の開口を覆うことができるものであり、本体部の側面には傾斜折り目が設けられて、本体部は、傾斜折り目、下辺及び側辺で折り曲げることにより、全ての側面が底面側に折り曲げられて、折り畳み状態とすることができるものであり、折り畳み状態とした本体部を蓋部の内側空間に収納することができることを特徴とする折り畳み箱である。
【００１３】
請求項１に記載の発明の折り畳み箱では、傾斜折り目、下辺及び側辺で折り曲げることにより、全ての側面が底面側に折り曲げられて、折り畳み状態とした本体部を、蓋部の内側空間に収納することができるので、本体部の折り畳み状態の維持が容易となり、輸送時、保管時、廃棄時などに嵩張りにくい。
【００１４】
請求項２に記載の発明は、蓋部の側面には傾斜折り目が設けられて、蓋部は、傾斜折り目、上辺及び側辺で折り曲げることにより、全ての側面が天面側に折り曲げられて、折り畳み状態とすることができるものであり、折り畳み状態とした本体部を蓋部の内側空間に収納した状態で、蓋部を折り畳み状態とすることができることを特徴とする請求項１に記載の折り畳み箱である。
【００１５】
請求項２に記載の発明によれば、折り畳み状態とした本体部を蓋部の内側空間に収納した状態で、蓋部を折り畳み状態とすることができるので、さらに、本体部の折り畳み状態の維持が容易となり、輸送時、保管時、廃棄時などに嵩張りにくい。
【００１６】
請求項３に記載の発明は、本体部は、芯板と表面紙とを接着剤で貼り合わせて製作されるものであり、前記接着剤が固化する前に、折り畳み状態となるように変形させて製造されたことを特徴とする請求項１又は２に記載の折り畳み箱である。
【００１７】
請求項３に記載の発明によれば、本体部は、芯板と表面紙とを接着剤で貼り合わせて製作されるものであり、前記接着剤が固化する前に、折り畳み状態となるように変形させているので、接着剤の固化後に本体部は折り畳み状態に近い状態で形状維持ができ、芯板の反発によって発生する嵩張りが起こりにくい。
【００１８】
上記の折り畳み箱を用いた折り畳み箱の収納構造を採用することができる。
すなわち、請求項４に記載の発明は、請求項１〜３のいずれかに記載の折り畳み箱が用いられ、前記折り畳み箱の収納空間に収納物が収納され、前記収納物により折り畳み箱の傾斜折り目が設けられた側面同士を広げた状態で維持して折り畳み箱の使用状態を維持していることを特徴とする折り畳み箱の収納構造である。
【００１９】
請求項５に記載の発明は、収納物は不定形なものであることを特徴とする請求項４に記載の折り畳み箱の収納構造である。
ここで、収納物は不定形なものであるとは、複数のものの集合体であって、箱に入れないで平面等の上に置くと広がるようなものであり、例えば、小袋などの個別包装された商品などである。
【００２０】
請求項５に記載の発明によれば、請求項１〜３のいずれかに記載の折り畳み箱を用いており、収納空間に収納される収納物が不定形なものであっても、傾斜折り目が設けられた側面同士を広げた状態で維持することができるので、折り畳み箱が使用状態で維持することができる。
【００２１】
請求項６に記載の発明は、底面と、前記底面と下辺で接続している複数の側面とを有し、複数の側面は隣接する他の側面と側辺で接続し、底面及び複数の側面に囲まれた収納空間が形成され、前記収納空間の上方には開口が設けられ、側面には傾斜折り目が設けられて、傾斜折り目、下辺及び側辺で折り曲げることにより、全ての側面が底面側に折り曲げられて、折り畳み状態とすることができる折り畳み箱の本体部を製造するものであり、芯板を所定の形状に切断する工程と、芯板に傾斜折り目を形成する工程と、表面紙を所定の形状に切断する工程と、芯板を下辺となる位置で折り曲げて底面と複数の側面を形成し、側面同士を側辺で連結するように表面紙を接着剤で芯板に貼り付ける工程と、前記接着剤が固化する前に折り畳み状態に変形させる工程と、を有することを特徴とする折り畳み箱の製造方法である。
【００２２】
請求項６に記載の発明によれば、芯板を下辺となる位置で折り曲げて底面と複数の側面を形成し、側面同士を側辺で連結するように表面紙を接着剤で芯板に貼り付ける工程と、前記接着剤が固化する前に折り畳み状態に変形させる工程とを有するので、折り畳み状態で形状維持がしやすい折り畳み箱を容易に製造することができる。
【発明の効果】
【００２３】
本発明の折り畳み箱によれば、折り畳み状態の維持が容易であり、また、本発明の折り畳み箱の製造方法によればかかる折り畳み箱を製造することができる。
【発明を実施するための最良の形態】
【００２４】
以下さらに本発明の具体的実施例について説明する。図１は、本発明の第１の実施形態の折り畳み箱の斜視図である。図２は、図１の折り畳み箱を蓋をした状態で示した斜視図である。図３は、図１の折り畳み箱を商品を入れた状態で示した斜視図である。図４は、図１の折り畳み箱の本体部の製造に用いる芯板と表面紙を示した斜視図である。図５は、図１の折り畳み箱の本体部の製造途中を示す斜視図である。図６は、図１の折り畳み箱の本体部の製造途中を示す斜視図である。図７は、図１の折り畳み箱の蓋部の製造に用いる芯板と表面紙を示した斜視図である。図８は、図１の折り畳み箱の本体部のみを折り畳み状態で示した斜視図である。図９は、図１の折り畳み箱の蓋部を折り畳み状態で示した斜視図である。図１０は、図１の折り畳み箱の断面図である。
【００２５】
本発明の第１の実施形態の折り畳み箱１は、図１に示されるように、本体部１０と蓋部１１を有している。
本体部１０は、図１に示されるように、直方体状であり、長方形状の底面２１と、４つ長方形状の側面２２、２３、２４、２５を有し、また、底面２１と側面２２、２３、２４、２５に囲まれた収納空間２７が設けられおり、収納空間２７の上部には開口２６が設けられている。
【００２６】
蓋部１１は、図１に示されるように、直方体状であり、長方形状の天面５１と、４つ長方形状の側面５２、５３、５４、５５を有し、また、天面５１と側面５２、５３、５４、５５に囲まれた内側空間５７が設けられおり、内側空間５７の下部には開口５６が設けられている。
そして、図２に示すように、蓋部１１によって本体部１０の開口２６を覆うように、蓋をすることができる。このように折り畳み箱１の蓋をした状態では、蓋部１１の側面５２、５３、５４、５５が、本体部１０の側面２２、２３、２４、２５の外側に位置し、蓋部１１の天面５１が本体部１０の開口２６付近に配置している。また、図３に示されるように、収納空間２７に商品２８を入れることができる。
なお、後述するように、本体部１０及び蓋部１１は、使用状態と折り畳み状態との間で形状が異なるが、特に、断りがない場合には使用状態を基準に説明する。
【００２７】
本体部１０の４つの側面２２、２３、２４、２５は、底面２１と下辺３２、３３、３４、３５で接続している。また、側面２２と側面２３とは側辺４２で接続し、側面２３と側面２４とは側辺４３で接続し、側面２４と側面２５とは側辺４４で接続し、側面２５と側面２２とは側辺４５で接続している。すなわち、側面２２、２３、２４、２５同士は側辺４２、４３、４４、４５で接続している。
さらに、側面２２の上側には上辺３２ｄが設けられ、側面２３の上側には上辺３３ｄが設けられ、側面２４の上側には上辺３４ｄが設けられ、側面２５の上側には上辺３５ｄが設けられており、開口２６は４つの上辺３２ｄ、３３ｄ、３４ｄ、３５ｄにより、囲まれて形成される。
【００２８】
底面２１は下辺３２、３３、３４、３５によって囲まれている。また、下辺３２と下辺３４、及び、下辺３３と下辺３５は、それぞれ対辺であり、下辺３３、３５の方が、下辺３２、３４よりも長い。したがって、長方形状である底面２１の長辺が下辺３３、３５となり、短辺が下辺３２、３４となる。
また、本体部１０には、底面２１と側面２２、２３、２４、２５とに囲まれた収納空間２７を有しており、収納空間２７は開口２６とつながっている。
【００２９】
下辺３２、３３、３４、３５での、底面２１と側面２２、２３、２４、２５とのなす角度や、側辺４２、４３、４４、４５での、側面２２、２３、２４、２５同士のなす角度はほぼ９０°である。
【００３０】
また、側面２２、２４（底面２１の短辺である下辺３２、３４に接続する方）には、傾斜折り目３６、３７、３８、３９が設けられている。傾斜折り目３６、３７、３８、３９は、後述するように、本体部１０を折り畳み状態とする場合に、折り曲げられる直線状の部分であり、側面２２、２４にそれぞれ２ヵ所ずつ設けられている。
【００３１】
側面２２に設けられる傾斜折り目３６、３７は、下辺３２の両端に位置する頂点４５ｄ、４２ｄから傾斜しながら上方に向かって伸びている。また、側面２４に設けられる傾斜折り目３８、３９は、下辺３４の両端に位置する頂点４３ｄ、４４ｄから傾斜しながら上方に向かって伸びている。
そして、傾斜折り目３６、３７、３８、３９は、下辺３２、３４と、側辺４５、４２、４３、４４とによって形成される角を２分する方向に設けられている。したがって、傾斜折り目３６、３７、３８、３９は頂点４５ｄ、４２ｄ、４３ｄ、４４ｄから斜め上約４５°方向に伸びている。
【００３２】
蓋部１１は、本体部１０の開口２６を覆うことができるものであり、蓋部１１の天面５１は、本体部１０の底面２１や開口２６よりやや大きい長方形状である。そして、蓋部１１の４つの側面５２、５３、５４、５５は、天面５１と上辺６２、６３、６４、６５で接続している。また、側面５２と側面５３とは側辺７２で接続し、側面５３と側面５４とは側辺７３で接続し、側面５４と側面５５とは側辺７４で接続し、側面５５と側面５２とは側辺７５で接続している。すなわち、側面５２、５３、５４、５５同士は側辺７２、７３、７４、７５で接続している。
さらに、側面５２の下側には下辺６２ｄが設けられ、側面５３の下側には下辺６３ｄが設けられ、側面５４の下側には下辺６４ｄが設けられ、側面５５の下側には下辺６５ｄが設けられている。
【００３３】
また、天面５１は上辺６２、６３、６４、６５によって囲まれており、上辺６２と上辺６４、及び、上辺６３と上辺６５は、それぞれ対辺であり、上辺６３、６５の方が、上辺６２、６４よりも長く、底面２１の長辺が上辺６３、６５となり、短辺が上辺６２、６４となる。
そして、蓋部１１の上辺６３、６５及び下辺６３ｄ、６５ｄは、本体部１０の下辺３３、３５及び上辺３３ｄ、３５ｄに比べてやや長い。また、蓋部１１の上辺６２、６４及び下辺６２ｄ、６４ｄは、本体部１０の下辺３２、３４及び上辺３２ｄ、３４ｄに比べてやや長い。
【００３４】
上辺６２、６３、６４、６５での、天面５１と側面５２、５３、５４、５５とのなす角度や、側辺７２、７３、７４、７５での、側面５２、５３、５４、５５同士のなす角度はほぼ９０°である。
【００３５】
そして、蓋部１１を用いて蓋をすると、図２のように本体部１０の側面２２、２３、２４、２５の外側の上方に、蓋部１１の側面５２、５３、５４、５５が位置する状態となり、収納空間２７は閉鎖状態となる。
【００３６】
また、蓋部１１にも、傾斜折り目６６、６７、６８、６９が設けられている。傾斜折り目６６、６７、６８、６９は、側面５３、５５（天面５１の長辺である上辺６２、６４で接続する方）に設けられており、後述するように、蓋部１１を折り畳み状態とする場合に、折り曲げられる直線状の部分である。
【００３７】
側面５３に設けられる傾斜折り目６６、６７は、上辺６３の両端の頂点７２ｄ、７３ｄから傾斜しながら下方に向かって伸びている。また、側面５５に設けられる傾斜折り目６７、６８は、上辺６５の両端の頂点７４ｄ、７５ｄから傾斜しながら下方に向かって伸びている。
【００３８】
そして、傾斜折り目６６、６７、６８、６９は、上辺６３、６５と側辺７２、７３、７４、７５とによって形成される角を２分する方向に設けられている。したがって、傾斜折り目６６、６７、６８、６９は頂点７２ｄ、７３ｄ、７４ｄ、７５ｄから斜め下約４５°方向に伸びている。
【００３９】
そして、本体部１０及び蓋部１１は、いずれも使用状態、折り畳み状態との間で相互に状態を変更することができる。
本体部１０の使用状態は、図１に示されるように、傾斜折り目３６、３７、３８、３９が折り曲げられていない状態であり、外形が直方体状であり、収納空間２７の容積が大きい状態である。
また、本体部１０の折り畳み状態は、図８に示されるように、傾斜折り目３６、３７、３８、３９、下辺３２、３３、３４、３５、側辺４２、４３、４４、４５を折り曲げて側面２２、２３、２４、２５を底面２１側に移動させた状態である。そして、折り畳み状態では、側面２２、２３、２４、２５が、下辺３２、３３、３４、３５よりも内側に移動して底面２１に重なった状態である。また、この状態では、側面２３、２５が上側に位置しており、側面２２、２４は底面２１と側面２３、２５との間に位置している。
そして、本体部１０が折り畳み状態となると収納空間２７の容積はほとんどなくなり、また、上下方向の高さは蓋部１１の側面５２、５３、５４、５５の上下方向の幅より小さくなり、上から見るとその大きさは底面２１とほぼ同じである。
【００４０】
蓋部１１の使用状態は、図１や図８に示されるように、傾斜折り目６６、６７、６８、６９が折り曲げられていない状態であり、外形が直方体の状態である。また、蓋部１１の折り畳み状態は、図９に示されるように、傾斜折り目６６、６７、６８、６９が折り曲げられて、側面５２、５３、５４、５５が天面５１に重なった状態である。
【００４１】
また、本体部１０や蓋部１１は、以下のように製作される。
本体部１０は、図４に示されるように、芯板１２と表面紙１３とを用いて製作される。芯板１２は、具体的には平面状の段ボールであり、ある程度の剛性を有している板である。ここで、段ボールは、ボール紙等で作製され、面状に広がる一又は複数のライナーと称される部材に、断面形状が波形等の形状になるように屈曲させた段を複数有する中芯と称される部材を貼り付けたものである。
【００４２】
そして、芯板１２は、一旦折り曲げられて折り曲げ跡が設けられると、その部分で容易に折り曲げることができる。本実施形態では、芯板１２に段ボールを用いているので、傾斜折り目３６、３７、３８、３９などで設ける折り曲げ跡を付与しやすい。
なお、折り曲げ跡を設けてその部分で折り曲げることができれば、段ボール以外のものを用いることができる。
そして、芯板１２には、底面部２１ａと、底面部２１ａに接続する４つの側面部２２ａ、２３ａ、２４ａ、２５ａが設けられている。
【００４３】
芯板１２は、１枚の段ボールを図４のような形状に切断されたものが用いられる。また、この切断は公知の方法を採用することができ、例えば、芯板１２の縁を一周するような切り刃を有するプレス機を用い、打ち抜きによって切断する方法を採用することができる。
【００４４】
そして、底面部２１ａと、各側面部２２ａ、２３ａ、２４ａ、２５ａとの境界３２ａ、３３ａ、３４ａ、３５ａで谷折りして、直方体状として、図１に示されるように収納空間２７が形成される。また、境界３２ａ、３３ａ、３４ａ、３５ａの折角をほぼ９０°として、側面部２２ａ、２３ａ、２４ａ、２５ａの隣接する辺同士（辺４２ａと辺４２ｂ、辺４３ａと辺４３ｂ、辺４４ａと辺４４ｂ、辺４５ａと辺４５ｂ）が突き合わされた状態とする。そして、この状態で、表面紙１３を貼り付けることにより、隣接する側面部２２ａ、２３ａ、２４ａ、２５ａ同士が結合させる。
【００４５】
表面紙１３は、表側に模様や柄が付されている化粧紙であり、芯板１２よりも薄い紙である。そして、表面紙１３は折り畳み箱１の外側となるように貼り付けられて、折り畳み箱１の外観を向上させることができる。また、表面紙１３を芯板１２に貼り付けることにより、隣接する側面部２２ａ、２３ａ、２４ａ、２５ａ同士を結合させる。
【００４６】
表面紙１３は、図４に示されるように、芯板１２と比較して大きいものである。表面紙１３には、底面部２１ｂと、底面部２１ｂに接続する４つの側面部２２ｂ、２３ｂ、２４ｂ、２５ｂと、側面部２２ｂ、２３ｂ、２４ｂ、２５ｂの外側に設けられた上縁折り返し部２２ｃ、２３ｃ、２４ｃ、２５ｃと、側面部２３ｂに設けられた張り出し部４２ｃ、４３ｃと、側面部２５ｂに設けられた張り出し部４４ｃ、４５ｃが設けられている。
【００４７】
そして、表面紙１３を貼る場合には、図５に示されるように、境界３２ａ、３３ａ、３４ａ、３５ａで谷折りされた芯板１２を表面紙１３に載せる。このとき、表面紙１３の底面部２１ｂの上に、芯板１２の底面部２１ａを載せるようにし、接着剤で、底面部２１ａと底面部２１ｂとを接着する。
【００４８】
次に、側面部２３ｂ、２５ｂ（張り出し部４２ｃ、４３ｃ、４４ｃ、４５ｃが設けられている方）を、境界３３ｂ、３５ｂで折り曲げ、芯板１２の側面部２３ａ、２５ａに沿うよう折る。そして、上縁折り返し部２３ｃ、２５ｃを芯板１２の内側に折り返して、側面部２３ｂ、２５ｂ及び上縁折り返し部２３ｃ、２５ｃを芯板１２の側面部２３ａ、２５ａに接着剤で接着する。また、張り出し部４２ｃ、４３ｃ、４４ｃ、４５ｃを隣接する側面部２２ａ、２４ａ側に折り曲げて、張り出し部４２ｃ、４３ｃ、４４ｃ、４５ｃを側面部２２ａ、２４ａに接着剤で接着する。
そうすると、本体部１０は、図６に示されるような状態となり、側面部２２ａ、２３ａ、２４ａ、２５ａ同士が隣接する部分は化粧紙１３によって結合する。
【００４９】
さらに、側面部２２ｂ、２４ｂを、境界３２ｂ、３４ｂで折り曲げ、芯板１２の側面部２２ａ、２４ａに沿うよう折る。そして、上縁折り返し部２２ｃ、２４ｃを芯板１２の内側に折り返して、側面部２２ｂ、２４ｂ及び上縁折り返し部２２ｃ、２４ｃを芯板１２の側面部２２ａ、２４ａに接着剤で接着する。そうすると、本体部１０は、図１に示される状態となり、図１０に示されるように、芯板１２の外側（収納空間２７とは反対側）は、化粧紙１３によって覆われる状態となる。
【００５０】
また、本体部１０の傾斜折り目３６、３７、３８、３９は、上記で説明した位置であらかじめ折り曲げて付与されるものであり、傾斜折り目３６、３７、３８、３９の位置で容易に折ることができる。
傾斜折り目３６、３７、３８、３９の形成は、芯板１２に化粧紙１３を貼った後に折り曲げても良く、化粧紙１３を貼る前に芯板１２のみを折り曲げても形成することができる。化粧紙１３を貼る前に芯板１２のみを折り曲げても形成する場合には、芯板１２の折り曲げの際に化粧紙１３を汚すことがない。さらに、芯板１２を切断の際、又は、その前後の工程で、芯板１２を折り曲げて傾斜折り目３６、３７、３８、３９を形成する方法を採用すれば、切断と折り曲げの工程で用いられるプレス機の兼用が可能となる。
【００５１】
また、化粧紙１３を芯板１２に貼り付けた後に、化粧紙１３の接着に用いた接着剤が固化する前に、一旦、折り畳み状態となるように変形させる。具体的には、折り畳み状態で、上下方向から挟んで圧縮する。このように、一旦、折り畳み状態にすることで、芯板１２と化粧紙１３との位置関係が微妙にずれ、本体部１０は折り畳み状態に近い状態で接着剤が固化する。
そのため、収納空間２７に商品２８が入れられていない場合には、本体部１０は、図８に示されるような折り畳み状態で形状維持がしやすくなり、保管時や廃棄時に扱いやすくなる。
【００５２】
蓋部１１は、本体部１０と同様に、芯板１５と表面紙１６とを用いて製作されるものであり、図７に示されている。また、芯板１５や表面紙１６の材質は、本体部１０に用いられる芯板１２と表面紙１３と同じ材質のものが用いられており、切断方法も同様な方法を用いることができる。
【００５３】
そして、芯板１５には、天面部５１ａと、天面部５１ａに接続する４つの側面部５２ａ、５３ａ、５４ａ、５５ａが設けられている。
天面部５１ａと、各側面部５２ａ、２３ａ、２４ａ、２５ａとの境界６２ａ、６３ａ、６４ａ、６５ａで山折りして、芯板１５を天面部５１ａが上側となる直方体状にする。この状態では、側面部５２ａ、５３ａ、５４ａ、５５ａの隣接する辺同士（辺７２ａと辺７２ｂ、辺７３ａと辺７３ｂ、辺７４ａと辺７４ｂ、辺７５ａと辺７５ｂ）が突き合わされた状態となる。そして、この状態で、本体部１０の場合と同様に、表面紙１６を芯板１５の外側に貼り付けることにより、隣接する側面部５２ａ、５３ａ、５４ａ、５５ａ同士が結合する。
【００５４】
表面紙１６は、図７に示されるように、芯板１５と比較して、薄く、大きいものである。また、表面紙１６には、天面部５１ｂと、天面部５１ｂに接続する４つの側面部５２ｂ、５３ｂ、５４ｂ、５５ｂと、側面部５２ｂ、５３ｂ、５４ｂ、５５ｂの外側に設けられた上縁折り返し部５２ｃ、５３ｃ、５４ｃ、５５ｃと、側面部５３ｂに設けられた張り出し部７２ｃ、７３ｃと、側面部５５ｂに設けられた張り出し部７４ｃ、７５ｃが設けられている。
【００５５】
そして、表面紙１６を芯板１５に貼る。具体的には、境界６２ａ、６３ａ、６４ａ、６５ａで山折りされた芯板１５に、表面紙１６の天面部５１ｂを、芯板１５の天面部５１ａに載せ、接着剤で天面部５１ａと天面部５１ｂとを接着する。さらに、表面紙１６の側面部５３ｂ、５５ｂを、境界６３ｂ、６５ｂで折り曲げ、芯板１５の側面部５３ａ、５５ａに沿うよう折り、上縁折り返し部５３ｃ、５５ｃを芯板１５の内側に折り返して、側面部５３ｂ、５５ｂ及び上縁折り返し部５３ｃ、５５ｃを芯板１５の側面部５３ａ、５５ａに接着剤で接着する。また、張り出し部７２ｃ、７３ｃ、７４ｃ、７５ｃを隣接する側面部５２ａ、５４ａ側に折り曲げて、張り出し部７２ｃ、７３ｃ、７４ｃ、７５ｃを側面部５２ｂ、５４ｂに接着剤で接着する。
【００５６】
さらに、側面部５２ｂ、５４ｂを、境界６２ｂ、６４ｂで折り曲げ、芯板１５の側面部５２ａ、５４ａに沿うよう折り、上縁折り返し部５２ｃ、５４ｃを芯板１５の内側に折り返して、側面部５２ｂ、５４ｂ及び上縁折り返し部５２ｃ、５４ｃを芯板１５の側面部５２ａ、５４ａに接着剤で接着する。そうすると、蓋部１１は、図１に示される状態となり、また、図１０に示されるように、芯板１５の外側は、化粧紙１６によって覆われる状態となる。
【００５７】
また、蓋部１１の傾斜折り目６６、６７、６８、６９は、上記で説明した位置であらかじめ折り曲げて付与されるものであり、傾斜折り目６６、６７、６８、６９の位置で容易に折ることができる部分である。
傾斜折り目６６、６７、６８、６９を形成は、芯板１５に化粧紙１６を貼った後に折り曲げても良く、化粧紙１６を貼る前に芯板１５のみを折り曲げても形成することができる。化粧紙１６を貼る前に芯板１５のみを折り曲げても形成する場合には、芯板１５の折り曲げの際に化粧紙１６を汚すことがない。さらに、芯板１５を切断の際、又は、その前後の工程で、芯板１５を折り曲げて傾斜折り目６６、６７、６８、６９を形成する方法を採用すれば、切断と折り曲げの工程で用いられるプレス機の兼用が可能となる。
【００５８】
また、本体部１０と同様に、化粧紙１６を芯板１５に貼り付けた後に、化粧紙１６の接着に用いた接着剤が固まる前に、折り畳み状態となるように圧縮する。
そのため、蓋をしない場合には、蓋部１１は、図９に示されるような折り畳み状態で形状維持がしやすくなり、保管時や廃棄時に扱いやすくなる。
【００５９】
折り畳み箱１を使用する場合には、図３に示されるように、本体部１０を使用状態にして、商品２８を収納空間２７に入れる。なお、本体部１０は、折り畳み状態となりやすいように圧縮されているが、商品２８が収納空間２７に入れられているので、使用状態の形状で維持することができる。
そして、蓋部１１も使用状態の形状で、本体部１０の上側を覆って、図２に示す状態とする。蓋部１１も折り畳み状態となりやすいように圧縮されているが、蓋部１１の側面５２、５３、５４、５５が本体部１０の側面２２、２３、２４、２５の外側に位置しているので、使用状態の形状で維持する。
【００６０】
したがって、折り畳み箱１を使用する場合には、通常の箱と同様に用いることができる。また、商品２８の形態は定形性を有するものでなく不定形なものでも良く、商品２８を収納空間２７に収納しすることにより、傾斜折り目３６、３７、３８、３９を有する側面２２、２４同士が広げた状態で維持し、折り畳み箱１が使用状態となるように維持していれば良い。例えば、小袋などにより個別包装された商品２８を収納空間２７に複数収納して、収納空間２７の全体を満たすことにより、折り畳み箱１の使用状態を維持することができる。
このように、折り畳み箱１を折り畳み状態とすると、全ての側面２２、２３、２４、２５が底面２１側、すなわち、内側に折り曲げられるので、商品２８を入れることにより収納空間２７を広げることができ、不定形性の商品２８でも、その商品２８の存在により、折り畳み箱１が使用状態となるように維持することができる。
【００６１】
なお、収納空間２７に収納される商品２８が小さく、収納空間２７の全体に商品２８が収納されておらず、使用状態の維持ができない場合などには、傾斜折り目３６、３７、３８、３９が設けられた側面２２、２４が内側に倒れ込まないように、仕切などを設けて、倒れ込みを防止して側面２２、２４を広げた状態を維持することもできる。
【００６２】
また、折り畳み箱１を保管したり、廃棄したりする場合には、本体部１０及び蓋部１１を折り畳み状態とする。本実施形態の本体部１０及び蓋部１１では、収納空間２７に商品２８を入れないときは、折り畳み状態になりやすく扱いやすい。
【００６３】
さらに、本体部１０が折り畳み状態の場合には、蓋部１１の内側空間２７に入れることができるので、本体部１０と蓋部１１とのセットで保管ができ、また、本体部１０の折り畳み状態の維持がしやすい。
そして、図８、図９に示すように、折り畳み状態とした本体部１０を蓋部１１の内側空間５７に収納することができ、さらに、本体部１０を蓋部１１の内側空間５７に収納した状態で、蓋部１１を折り畳み状態とすることもできる。かかる場合には、折り畳み箱１の嵩張りをより小さくすることができる。
【００６４】
上記した折り畳み箱１は、本体部１０と蓋部１１とをセットにして用いるものであったが、本体部のみを箱として用いることができる。
【図面の簡単な説明】
【００６５】
【図１】本発明の第１の実施形態の折り畳み箱の斜視図である。
【図２】図１の折り畳み箱を蓋をした状態で示した斜視図である。
【図３】図１の折り畳み箱を商品を入れた状態で示した斜視図である。
【図４】図１の折り畳み箱の本体部の製造に用いる芯板と表面紙を示した斜視図である。
【図５】図１の折り畳み箱の本体部の製造途中を示す斜視図である。
【図６】図１の折り畳み箱の本体部の製造途中を示す斜視図である。
【図７】図１の折り畳み箱の蓋部の製造に用いる芯板と表面紙を示した斜視図である。
【図８】図１の折り畳み箱の本体部のみを折り畳み状態で示した斜視図である。
【図９】図１の折り畳み箱の蓋部を折り畳み状態で示した斜視図である。
【図１０】図１の折り畳み箱の断面図である。
【符号の説明】
【００６６】
１  折り畳み箱
１０  本体部
１１  蓋部
１２、１５  芯板
１３、１６  表面紙
２１  底面
２２、２３、２４、２５  側面
２６  開口
２７  収納空間
２８  商品
３６、３７、３８、３９  傾斜折り目
５１  天面
５２、５３、５４、５５  側面
５７  内側空間
６６、６７、６８、６９  傾斜折り目
【図１】
2006131246.tif 000003
【図２】
2006131246.tif 000004
【図３】
2006131246.tif 000005
【図４】
2006131246.tif 000006
【図５】
2006131246.tif 000007
【図６】
2006131246.tif 000008
【図７】
2006131246.tif 000009
【図８】
2006131246.tif 000010
【図９】
2006131246.tif 000011
【図１０】
2006131246.tif 000012